(57)【要約】【課題】電磁加熱調理器の過熱を抑制することができる、調理台を提案する。【解決手段】調理台１は、天板２と、天板２に取り付けられ、一部３０が天板２よりも下側に位置し、一部３０に排熱口３１を有する電磁加熱調理器３と、一部３０を下側から覆い、一部３０との間に空間Ｓ１を形成するカバー４と、を備える。調理台１は更に、空間Ｓ１と外部空間とに繋がる排気口５と、排熱口３１から排気口５に向けて熱を伝導するように、カバー４の上に重ねられた熱伝導部材６と、を備える。【選択図】図１
2019170961.tif 000002
【特許請求の範囲】
【請求項１】
天板と、
前記天板に取り付けられ、一部が前記天板よりも下側に位置し、前記一部に排熱口を有する電磁加熱調理器と、
前記一部を下側から覆い、前記一部との間に空間を形成するカバーと、
前記空間と外部空間とに繋がる排気口と、
前記排熱口から前記排気口に向けて熱を伝導するように、前記カバーの上に重ねられた熱伝導部材と、を備える、
調理台。
【請求項２】
前記天板を支える支持部を更に備え、
前記支持部は、
前記空間に通じる内部空間と、
前記内部空間と前記外部空間とを繋ぐ前記排気口と、を有し、
前記熱伝導部材は、前記空間と前記内部空間にわたって位置する、
請求項１の調理台。
【請求項３】
前記熱伝導部材は、シート状である、
請求項１または２の調理台。
【請求項４】
金属製の前記カバーと前記熱伝導部材との間に位置する断熱部材を、更に備える、
請求項１〜３のいずれかの調理台。
【請求項５】
前記電磁加熱調理器の操作に用いられる一対の操作部を更に備え、
前記一対の操作部は、前記天板の両端部に位置し、
前記一対の操作部のうち前記排熱口に近い側の操作部と前記排熱口との間に、前記熱伝導部材が位置する、
請求項１〜４のいずれかの調理台。
【発明の詳細な説明】
【技術分野】
【０００１】
本開示は、調理台に関する。
【背景技術】
【０００２】
特許文献１には、天板にＩＨ加熱調理器（電磁加熱調理器）を組み込んだ、テーブル兼用型厨房台が記載されている。
【０００３】
この厨房台では、天板の上面と、ＩＨ加熱調理器の上面とが同一平面をなすように、天板の厚み内にＩＨ加熱調理器が位置している。
【先行技術文献】
【特許文献】
【０００４】
【特許文献１】特開２００７−６８７４１号公報
【発明の概要】
【発明が解決しようとする課題】
【０００５】
特許文献１に記載の厨房台では、ＩＨ加熱調理器から天板の内部に排出された熱気が、ＩＨ加熱調理器の周囲にこもりやすく、ＩＨ加熱調理器が過熱し、不具合が生じるおそれがある。
【０００６】
上記事情に鑑みて、本開示は、電磁加熱調理器の過熱を抑制することができる、調理台を提案することを、目的とする。
【課題を解決するための手段】
【０００７】
本発明に係る一態様の調理台は、天板と、前記天板に取り付けられ、一部が前記天板よりも下側に位置し、前記一部に排熱口を有する電磁加熱調理器と、前記一部を下側から覆い、前記一部との間に空間を形成するカバーと、前記空間と外部空間とに繋がる排気口と、前記排熱口から前記排気口に向けて熱を伝導するように、前記カバーの上に重ねられた熱伝導部材と、を備える。
【発明の効果】
【０００８】
本開示は、電磁加熱調理器の過熱を抑制することができる、調理台を提案することができるといった効果を奏する。
【図面の簡単な説明】
【０００９】
【図１】図１は、実施形態１の調理台を示す斜視図である。
【図２】図２Ａは、実施形態１の調理台を示す正面図であり、図２Ｂは、同上の調理台を示す側面図である。
【図３】図３Ａは、図２ＡのＡ−Ａ線における断面図であり、図３Ｂは、図２ＢのＢ−Ｂ線における断面図である。
【図４】図４は、実施形態２の調理台を示す斜視図である。
【図５】図５は、実施形態３の調理台を示す斜視図である。
【図６】図６は、実施形態４の調理台を示す斜視図である。
【発明を実施するための形態】
【００１０】
本発明は、調理台に関し、特に、天板に電磁加熱調理器が取り付けられた調理台に関する。
【００１１】
［実施形態１］
１．概要
実施形態１の調理台１は、複数のユーザーが向かい合って作業することのできる調理台である。図１、図２Ａ、及び図２Ｂに示すように、調理台１は、天板２と、電磁加熱調理器３と、カバー４と、排気口５と、熱伝導部材６と、を備える。調理台１は更に、支持部７と、断熱部材８と、一対の操作部９と、を備える。天板２は、長手方向と短手方向を有する。本実施形態では、支持部７は、天板２の長手方向に互いに離れて位置する、第一支持部７０と第二支持部７１とを含む。
【００１２】
以下では、天板２の長手方向を左右方向とし、天板２の短手方向を前後方向として、各構成について詳しく説明する。
【００１３】
２．各構成についての説明
２−１．天板
天板２は、上側から視て長方形状であり、左右方向の長さが前後方向の長さよりも長い。天板２は、上下方向に厚みを有する。天板２は、複数枚の板状部材が重なった構造であり、台板２０と、台板２０の一部の上に重なったトッププレート２１とを備える。台板２０は、例えば、木材、金属、合成樹脂、木材と金属との積層材料などから形成される。合成樹脂は、例えば人造大理石である。トッププレート２１は、例えば、耐衝撃性かつ耐熱性を有するガラスで形成される。
【００１４】
なお、台板２０およびトッププレート２１は、上記の材料とは別の材料で形成されてもよい。また、天板２は、台板２０とトッププレート２１とが重なった構造でなくてもよく、１部材で形成されてもよい。
【００１５】
台板２０は、トッププレート２１が配される凹部２２と、凹部２２の一部を上下方向に貫通した取付孔２３とを有する。取付孔２３は、天板２の前後方向の中央部に位置する。取付孔２３内に、電磁加熱調理器３が配置される。凹部２２は、本実施形態では、台板２０のうち、第二支持部７１によって支持される部分よりも左側の部分に位置している。トッププレート２１は、凹部２２に嵌め込まれる。凹部２２とトッププレート２１との水平方向の隙間は、シーリング剤で埋められる。
【００１６】
トッププレート２１の上面と、台板２０の上面のうち凹部２２以外の部分とは、面一であり、そのため、天板２の上面全体は、平面となっている。なお、上記の面一とは、上面同士の高さが完全に一致する場合に限定されず、僅かにずれた場合も含まれる。
【００１７】
天板２の上面の高さは、利用者が立った状態で身体への負担が少ない姿勢で使用できるように、一般的な食卓の上面の高さよりも高く（例えば８００ｍｍ〜１０００ｍｍ）設定されている。調理台１と一緒に用いられる椅子は、一般的な食卓用の椅子よりも座面の高い椅子が好適に用いられる。
【００１８】
天板２の左端部は、第一支持部７０によって下側から支えられ、天板２の右端部は、第二支持部７１によって下側から支えられる。天板２の下側には、前後方向の両側に開放され、椅子に座ったユーザーが脚を入れることの可能な下空間１００が形成される。下空間１００は、第一支持部７０と第二支持部７１との間に位置する。
【００１９】
なお、天板２の台板２０は、シンクが取り付けられる孔を更に備えてもよく、この孔は、例えば、台板２０のうち第二支持部７１の上側の部分に設けられる。
【００２０】
２−２．電磁加熱調理器
図３Ａ及び図３Ｂに示すように、電磁加熱調理器３は、天板２に取り付けられ、一部３０が天板２よりも下側に位置する。電磁加熱調理器３は、一部３０に排熱口３１を有する。
【００２１】
電磁加熱調理器３は、誘導加熱（ＩＨ：Ｉｎｄｕｃｔｉｏｎ  Ｈｅａｔｉｎｇ）を行う装置である。電磁加熱調理器３は、誘導加熱のための磁力を発生させるコイルと、コイルに流す電流を制御するための電子回路を含んだ制御装置と、コイルと制御装置を収容するケース３２を備えている。
【００２２】
電磁加熱調理器３は、左右方向に並ぶ複数のコイルを備えており、トッププレート２１上に置かれた複数の加熱調理器具を同時に加熱可能である。加熱調理器具は、鍋、やかん、フライパン等である。複数のコイルの上側には、天板２のうちトッププレート２１のみが位置する。
【００２３】
本実施形態では、電磁加熱調理器３の下部（一部３０）は、複数の排熱口３１を有する。排熱口３１の数は、例えば電磁加熱調理器３のコイルの数と同数であり、本実施形態では３つである。
【００２４】
複数の排熱口３１は、ケース３２の前側の壁３２０に形成されている。複数の排熱口３１は、上下方向の位置が互いに同じであり、左右方向に一列に並んで位置する。
【００２５】
電磁加熱調理器３は、ケース３２の内側の空間に繋がる開口３３を更に備える。開口３３は、排熱口３１とは反対側に位置する。本実施形態では、開口３３は、ケース３２の底壁３２１の後部に形成されている。
【００２６】
電磁加熱調理器３のコイル及び制御装置は、通電時に発熱する。コイル及び制御装置の熱は、開口３３を通じてケース３２内へと導入された空気に吸収されて冷やされ、この熱を吸収して温度が高くなった熱気は、複数の排熱口３１を通じて、ケース３２の外側へと排出される。なお、電磁加熱調理器３は、ケース３２の内側にファン等の送風装置を備えてもよい。
【００２７】
２−３．カバー
カバー４は、電磁加熱調理器３の下部（一部３０）を下側から覆うように、構成されている。カバー４は、電磁加熱調理器３の下部（一部３０）から離れて位置し、電磁加熱調理器３の下部（一部３０）との間に空間Ｓ１を形成する。カバー４は、空間Ｓ１に繋がるカバー排気口４０を有する。
【００２８】
カバー４は、例えば金属から形成される。カバー４は、上面が開口した箱状である。詳しくは、カバー４は、電磁加熱調理器３の下方に位置する底板４１と、底板４１の前後に位置する一対の端部底板４２と、底板４１及び一対の端部底板４２の左右に位置する一対の側板４３とを一体に有する。
【００２９】
底板４１は、天板２に対して平行であり、一対の端部底板４２は、天板２に対して傾いている。前側の端部底板４２は、前側の部分ほど上側に位置するように傾き、後側の端部底板４２は、後側の部分ほど上側に位置するように傾いている。左右の側板４３は、互いに平行である。
【００３０】
前側の端部底板４２の前端部と天板２の前端部との間には、前側の操作部９を出し入れするための隙間４４が形成され、後側の端部底板４２の後端部と天板２の後端部との間には、後側の操作部９を出し入れするための隙間４５が形成されている。これらの各隙間４４，４５は、空間Ｓ１に繋がっている。各隙間４４，４５を通じて、カバー４の外側の空間と空間Ｓ１とは連通している。
【００３１】
カバー４は、一対の側板４３のうちの一方（本実施形態では左の側板４３）の下端部に、カバー排気口４０を有する。カバー排気口４０は、左の側板４３を左右方向に貫通している。カバー排気口４０の前後方向の位置は、電磁加熱調理器３の複数の排熱口３１より前側である。
【００３２】
カバー４は、天板２の下面のうち、第一支持部７０と第二支持部７１との間の部分に、取り付けられる。カバー４は、第一支持部７０と第二支持部７１との間の部分に、左右方向の全長及び前後方向の全長にわたって位置する。そのため、左側の側板４３は、第一支持部７０と接するか、僅かな隙間を介して位置し、右側の側板４３は、第二支持部７１と接するか、僅かな隙間を介して位置する。
【００３３】
カバー４の下側に、下空間１００が形成される。カバー４の下面（つまり底板４１の下面）は、例えば床面から５００ｍｍ以上離れて位置する。
【００３４】
２−４．支持部
第一支持部７０と第二支持部７１のそれぞれは、例えば木質材で形成される。第一支持部７０は、天板２の左右方向の一端部（本実施形態では左端部）を下側から支えるように構成されている。第一支持部７０は、その内側に位置する内部空間Ｓ２と、空間Ｓ１と内部空間Ｓ２を繋ぐ流入口７２と、内部空間Ｓ２と調理台１の外側の外部空間とを繋ぐ排気口５と、を有する。内部空間Ｓ２は、流入口７２及びカバー排気口４０を介して、空間Ｓ１に通じる。排気口５は、電磁加熱調理器３よりも左側（つまり、天板２の長手方向において、電磁加熱調理器３よりも外側）に位置する。
【００３５】
本実施形態では、第一支持部７０は、左右方向を厚み方向とする１枚の中空の板状に形成されている。第一支持部７０は、天板２の左端部を前後方向の全長にわたって下側から支える。
【００３６】
第一支持部７０は、左右一対の側壁７３，７４と、前後一対の側壁７５と、底壁７６とで構成されている。左右一対の側壁７３，７４と前後一対の側壁７５と底壁７６と、天板２の台板２０とで囲まれる空間が、内部空間Ｓ２である。
【００３７】
左の側壁７３の下端部に、排気口５が形成されている。排気口５は、左の側壁７３の下端部を左右方向に貫通している。右の側壁７４の上部に、流入口７２が形成されている。流入口７２は、右の側壁７４を左右方向に貫通している。流入口７２は、カバー排気口４０に対向する位置に設けられている。つまり、流入口７２の前後位置とカバー排気口４０の前後位置は同じであり、流入口７２の上下位置とカバー排気口４０の上下位置は同じである。
【００３８】
図１及び図２Ａに示すように、第二支持部７１は、天板２の左右方向の他端部（本実施形態では右端部）を下側から支えるように構成されている。第二支持部７１は、その左右方向の長さが、第一支持部７０の左右方向の長さよりも大きい。第二支持部７１は、天板２の右端部を前後方向の全長にわたって下側から支える。
【００３９】
第二支持部７１は、天板２を支持する機能を有するだけでなく、例えば、食器、調理用具、調味料、食品、洗剤等の台所用品が収容されるキャビネットを構成してもよい。また、第二支持部７１には、食器洗い乾燥機等の調理機器が設置されてもよい。また、第二支持部７１には、天板２に取り付けられたシンクの下部（天板２から下方に位置する部分）が収容されてもよい。
【００４０】
２−５．熱伝導部材
熱伝導部材６は、熱伝導率が高い部材である。熱伝導部材６は、排熱口３１から排気口５に向けて熱を伝導するように、カバー４の上に重ねられる。
【００４１】
本実施形態では、熱伝導部材６は、シート状である。熱伝導部材６は、少なくともカバー４よりも熱伝導率が高い。熱伝導部材６としては、例えば、ＰＧＳ（登録商標）グラファイトシートが好適に用いられる。
【００４２】
ＰＧＳグラファイトシートは、面（表面）に沿った方向に高い熱伝導を示し、厚さ方向に低い熱伝導を示すシートである。ＰＧＳグラファイトシートの面に沿った方向の熱伝導率は、例えば銅に比べて２〜５倍である。厚さ方向の熱伝導率は、面に沿った方向の熱伝導率に比べて約１００分の１程度である。
【００４３】
ＰＧＳグラファイトシートは、厚みが例えば１０〜１００μｍである。ＰＧＳグラファイトシートは、柔軟性に優れており、自由に折り曲げ可能である。
【００４４】
図１及び図３Ｂに示すように、熱伝導部材６は、空間Ｓ１と内部空間Ｓ２にわたって位置する。本実施形態では、熱伝導部材６は、カバー４の底板４１の内面（上面）と、第一支持部７０の右の側壁７４の内面（左面）に、重なっている。
【００４５】
図１及び図３Ａに示すように、熱伝導部材６は、前後方向においては、複数の排熱口３１よりも前側に位置する。熱伝導部材６は、右端の排熱口３１の前側から、第一支持部７０の右の側壁７４の内面（左面）にわたって位置する。
【００４６】
熱伝導部材６は、空間Ｓ１に位置する部分６０と内部空間Ｓ２に位置する部分６１とが連続している。部分６０は、左右方向に長尺な帯状であり、部分６１は、上下方向に長尺な帯状である。部分６０と部分６１の幅（前後長さ）は、互いに同じである。
【００４７】
２−６．断熱部材
断熱部材８は、金属製のカバー４と熱伝導部材６の間に位置し、熱伝導部材６の熱がカバー４に伝わることを防止する。
【００４８】
断熱部材８は、本実施形態では、シート状である。断熱部材８としては、一般的なシート状の断熱材が用いられる。断熱部材８は、左右方向に長尺な１つの帯状である。断熱部材８の前後方向の長さ（幅）は、熱伝導部材６と同じである。
【００４９】
断熱部材８は、カバー４の底板４１の内面（上面）上に重ねられる。断熱部材８の前後方向及び左右方向の位置は、熱伝導部材６の部分６０の前後方向及び左右方向の位置と同じである。断熱部材８は、第一支持部７０の右の側壁７４の内面（左面）上には、位置していない。なお、断熱部材８は、少なくとも一部が、カバー４の底板４１と熱伝導部材６の部分６０との間に位置すればよく、底板４１の内面（上面）の全体に配置されてもよい。
【００５０】
２−７．操作部
一対の操作部９のそれぞれは、電磁加熱調理器３の各コイルを操作するための装置である。一対の操作部９は、天板２の両端部（本実施形態では、前端部と後端部）に位置する。一対の操作部９が並ぶ方向と、熱伝導部材６内の熱が伝導する方向とは、交差（詳しくは直交）している。
【００５１】
前側の操作部９は、天板２の前端部の下面に移動可能に取り付けられ、天板２の前端部の下側の収容位置と、この収容位置よりも前側の操作位置との間で移動可能である。後側の操作部９は、天板２の後端部の下面に移動可能に取り付けられ、天板２の後端部の下側の収容位置と、この収容位置よりも後側の操作位置との間で移動可能である。天板２の下面には、例えば、各操作部９を前後方向に移動可能に支持するスライド機構が設けられる。
【００５２】
一対の操作部９のそれぞれは、その上面に、複数の操作ボタン９０と、電磁加熱調理器３の状態を表示する液晶パネル等の表示部９１とを備えている。複数の操作ボタン９０を操作することによって、各コイルの、ＯＮ・ＯＦＦ（点火・消火）の選択、出力（火力）の調整、加熱時間の指示などの操作が可能である。
【００５３】
一対の操作部９のそれぞれは、操作位置にあるときに上面が露出し、ユーザーが操作可能である。一対の操作部９のそれぞれは、収容位置にあるときには、上面が露出せず、操作不可である。
【００５４】
電磁加熱調理器３の各コイルは、前後両方の操作部９によって操作可能である。そのため、電磁加熱調理器３は、調理台１の前側と後側の両方から操作可能である。
【００５５】
２−８．その他
図３Ａに示すように、調理台１は、空間Ｓ１に設置される仕切板１０を更に備える。仕切板１０は、電磁加熱調理器３のケース３２の底壁３２１とカバー４の底板４１との間に配置され、空間Ｓ１を前後に並ぶ２つの空間に分ける。仕切板１０は、前後方向において、開口３３と排熱口３１の間に位置する。後側の操作部９の周囲の隙間４５から開口３３へと流れ込む空気に、排熱口３１から排出される熱気が混合することが、仕切板１０によって抑制されている。
【００５６】
３．電磁加熱調理器の排熱方法について
続いて上述した調理台１の電磁加熱調理器３の排熱方法について説明する。
【００５７】
電磁加熱調理器３の各コイル及び制御装置が発熱し、各排熱口３１から空間Ｓ１へ熱気が排出されると、この熱気中の熱が、熱伝導部材６のうち空間Ｓ１に位置する部分６０に伝わる（吸収される）。熱伝導部材６の部分６０に伝わった熱は、熱伝導部材６のうち内部空間Ｓ２に位置する部分６１に熱伝導（移動）する。
【００５８】
また、各排熱口３１から空間Ｓ１へ熱気が排出されると、調理台１内には、複数の排熱口３１から排気口５へと向かう空気の流れが形成される。各排熱口３１から空間Ｓ１へ排出された熱気（空気）は、空間Ｓ１、カバー排気口４０、流入口７２、内部空間Ｓ２、及び排気口５をこの順に放熱しながら移動して、調理台１の外部空間へ排出される。
【００５９】
この排気口５から排出される空気に、熱伝導部材６の部分６０から部分６１に伝導した熱が伝達されることで、熱伝導部材６の部分６１の温度が下がる。これにより、熱伝導部材６の部分６０から部分６１へ熱が伝導しにくくなることが抑制される。
【００６０】
また、電磁加熱調理器３のケース３２内には、開口３３を通じて、新たな空気が導入される。この空気は、後側の操作部９の周囲の隙間４５から、空間Ｓ１に導入された、比較的に温度の低い空気である。このようにケース３２内に新たな空気が供給されることで、ケース３２内の各コイル及び制御装置の熱は、この新たな空気によって吸収されて冷やされる。
【００６１】
４．作用効果
以上説明した調理台１では、電磁加熱調理器３の排熱口３１から排出された熱気中の熱を、熱伝導部材６の一部（部分６０）で吸収して、この熱を熱伝導部材６の他部（部分６１）へと導くことができる。これにより、調理台１では、電磁加熱調理器３の排熱口３１から排出された熱気が、温度の高い状態のまま、カバー４内に滞留して、電磁加熱調理器３が過熱することを防ぐことができる。
【００６２】
また、調理台１では、熱伝導部材６の他部（部分６１）へ熱伝導（移動）した熱は、排気口５から排出される空気に伝えることができ、熱伝導部材６の他部（部分６１）を継続的に放熱することができる。そのため、調理台１では、熱伝導部材６の部分６０から部分６１へ熱が伝導しにくくなることを抑制することができる。
【００６３】
また、調理台１では、熱伝導部材６がシート状であるため、電磁加熱調理器３から熱伝導部材６が離れて位置しやすく、熱伝導部材６が吸収した熱によって、電磁加熱調理器３が過熱することも抑制することができる。
【００６４】
また、調理台１では、金属製のカバー４と熱伝導部材６との間に断熱部材８が位置するため、熱伝導部材６が吸収した熱がカバー４に伝わって、カバー４が高温化することを防ぐことができる。
【００６５】
また、調理台１では、排気口５が第一支持部７０の下端部に位置し、熱伝導部材６が排気口５の近くまで延びているため、排熱口３１から排気口５までの距離が長くて、排気口５へ至る空気の温度が低くなりやすい。そのため、熱伝導部材６の部分６１の熱が排気口５から排出される空気に伝達されやすく、熱伝導部材６の部分６１を放熱させやすい。
【００６６】
また、調理台１では、熱伝導部材６を、排熱口３１から排気口５へと至る経路に沿って配置したことで、熱伝導部材６とその周囲の空気との間で熱伝達が生じやすい。
【００６７】
また、調理台１では、電磁加熱調理器３の排熱口３１と、前側の操作部９との間に、熱伝導部材６が位置する。そのため、排熱口３１から排出された熱気が、温度の高い状態のまま、前側の操作部９の周囲の隙間４４を通じて、電磁加熱調理器３の前側へと漏れ出すことが防止される。
【００６８】
また、調理台１では、空間Ｓ１及び内部空間Ｓ２にダクトや送風機を配置しておらず、そのため、製造コストを抑えることができる。
【００６９】
［実施形態２］
続いて、図４に示す実施形態２の調理台１Ａについて説明する。以下では、調理台１Ａについて、実施形態１の調理台１と同様の構成については、図中に同一の符号を付して説明を省略し、実施形態１の調理台１と異なる構成について、詳しく説明する。
【００７０】
調理台１Ａは、支持部７Ａ（第一支持部７０と第二支持部７１Ａ）によって、天板２が左右方向の全長にわたって下側から支持される。第二支持部７１Ａは、キャビネットである。第二支持部７１Ａは、第一支持部７０に接している。調理台１Ａでは、第一支持部７０と第二支持部７１Ａとの間に、下空間１００が形成されていない。
【００７１】
第二支持部７１Ａは、その内部に台所用品が収容される収容空間Ｓ３を備え、収容空間Ｓ３の前後に開閉可能な複数の開閉板７７を備える。なお、第二支持部７１Ａには、食器洗い乾燥機等の機器が設置されてもよい。カバー４は、第二支持部７１Ａの収容空間Ｓ３の上部に配置される。
【００７２】
実施形態２の調理台１Ａにおいても、排熱口３１から排出された熱気の熱を、熱伝導部材６の一部（部分６０）で吸収して、電磁加熱調理器３から離れた部分（部分６１）へ熱伝導（移動）することができ、電磁加熱調理器３の過熱を抑制することができる。また、実施形態２の調理台１Ａでは、収容機能が向上している。
【００７３】
［実施形態３］
続いて、図５に示す実施形態３の調理台１Ｂについて説明する。以下では、調理台１Ｂについて、実施形態１の調理台１と同様の構成については、図中に同一の符号を付して説明を省略し、実施形態１の調理台１と異なる構成について、詳しく説明する。
【００７４】
調理台１Ｂでは、支持部７Ｂは、第一支持部７０Ｂと第二支持部７１とを含む。第一支持部７０Ｂは、前後方向（天板２の短手方向）に離れて位置する２本の脚部７８と、２本の脚部７８の上端部を連結する上連結部７９と、２本の脚部７８の下端部を連結する下連結部８０とを備える。
【００７５】
２本の脚部７８と上連結部７９のそれぞれは、中空である。２本の脚部７８のそれぞれの内部の空間と、上連結部７９の内部の空間とは、繋がっている。２本の脚部７８のそれぞれの内部の空間と、上連結部７９の内部の空間とで、内部空間Ｓ２が構成されている。下連結部８０は、２本の脚部７８の下端部を連結することによって、２本の脚部７８を補強している。
【００７６】
２本の脚部７８のそれぞれの下端部に、排気口５Ｂが位置する。前側の脚部７８では、排気口５Ｂが前側に開放されており、後側の脚部７８では、排気口５Ｂが後側に開放されている。上連結部７９の右側の側壁７９０に、流入口７２Ｂが形成されている。流入口７２Ｂは、カバー４のカバー排気口４０の左側に対向している。
【００７７】
熱伝導部材６の部分６０は、空間Ｓ１においては、カバー４の底板４１の上面のうち、排熱口３１よりも前側の部分に重なっている。熱伝導部材６の部分６１は、内部空間Ｓ２においては、上連結部７９の右側の側壁７９０の左面と、前後の脚部７８の右側の側壁の左面とに、重なっている。部分６０と部分６１とは連続している。
【００７８】
実施形態３の調理台１Ｂでは、排熱口３１から排出された熱気の熱を、熱伝導部材６の一部（部分６０）で吸収して、電磁加熱調理器３から離れた部分（部分６１）へ熱伝導（移動）することができ、電磁加熱調理器３の過熱を抑制することができる。
【００７９】
調理台１Ｂでは、上連結部７９及び前後の脚部７８によって空気が流れる経路に沿って熱伝導部材６の部分６１を配置することができ、熱伝導部材６と周囲の空気との間での熱伝達が更に生じやすい。
【００８０】
また、調理台１Ｂでは、ユーザーは、調理台１Ｂの左側で椅子に座って、２本の脚部７８の間から下空間１００へと脚を入れることができる。そのため、調理台１Ｂでは、３方向から食卓としての利用が可能である。
【００８１】
［実施形態４］
続いて、図６に示す実施形態４の調理台１Ｃについて説明する。以下では、調理台１Ｃについて、実施形態１の調理台１と同様の構成については、図中に同一の符号を付して説明を省略し、実施形態１の調理台１と異なる構成について、詳しく説明する。
【００８２】
調理台１Ｃでは、支持部７Ｃは、第一支持部７０Ｃと第二支持部７１Ｃを含む。第一支持部７０Ｃは、天板２の右端部を下側から支え、第二支持部７１Ｃは、天板２の左端部を下側から支える。
【００８３】
第一支持部７０Ｃは、キャビネットであり、その内部に、台所用品が収容される収容空間Ｓ３と、この収容空間Ｓ３に対して仕切られた内部空間Ｓ２とを備える。第一支持部７０Ｃは、図３Ｂに示す第一支持部７０と同様の構造を含んでいる。第一支持部７０Ｃは、左右一対の側壁７３Ｃ，７４Ｃと、前後一対の側壁７５Ｃと、底壁とを有する。左右一対の側壁７３Ｃ，７４Ｃと前後一対の側壁７５Ｃと底壁と天板２の台板２０とで囲まれる空間が、内部空間Ｓ２である。左の側壁７３Ｃの下端部に、排気口５Ｃが形成され、左の側壁７３Ｃの上端部に、流入口７２Ｃが形成されている。
【００８４】
第一支持部７０Ｃは更に、側板８１と、前後一対の複数の開閉板８２（図では前側の複数の開閉板８２のみ図示）と、を有する。右側の側壁７４Ｃと側板８１と前後一対の複数の開閉板８２と底壁と天板２の台板２０とで囲まれる空間が、収容空間Ｓ３である。前後一対の複数の開閉板８２は、例えば、前後方向に移動可能であり、収容空間Ｓ３を開閉する。
【００８５】
第一支持部７０Ｃでは、右側の側壁７４Ｃによって内部空間Ｓ２と収容空間Ｓ３とが仕切られており、内部空間Ｓ２内を流れる熱気は、収容空間Ｓ３へと流入不可である。
【００８６】
調理台１Ｃでは、第二支持部７１Ｃは、前後方向（天板２の短手方向）に離れて位置する２本の脚部８３と、２本の脚部８３の下端部を連結する下連結部８４とを備える。
【００８７】
熱伝導部材６は、カバー４の底板４１のうち、排熱口３１よりも前側の部分に部分６０が重なっており、部分６０が左端の排熱口３１の前側から、底板４１の右端までわたって位置する。熱伝導部材６は、部分６１が第一支持部７０Ｃの左の側壁７３Ｃの右面に重なり、排気口５の近くまで延びている。
【００８８】
実施形態４の調理台１Ｃでは、排熱口３１から排出された熱気の熱を、熱伝導部材６の一部（部分６０）で吸収して、電磁加熱調理器３から離れた部分（部分６１）へ熱伝導（移動）することができ、電磁加熱調理器３の過熱を抑制することができる。
【００８９】
調理台１Ｃでは、第一支持部７０Ｃに収容機能を持たせることで、第二支持部７１Ｃを、前後方向に離れて位置する２本の脚部８３を有する構造とすることができる。そのため、調理台１Ｃでは、ユーザーは、調理台１Ｃの左側で椅子に座って、２本の脚部８３の間から下空間１００へと脚を入れることができ、３方向から食卓としての利用が可能である。また、調理台１Ｃでは、第二支持部７１Ｃの構造の簡素化を図ることができる。
【００９０】
［変形例］
上述した実施形態１〜４の調理台１，１Ａ，１Ｂ，１Ｃは、下記の変形例を採用可能である。
【００９１】
天板２を支える支持部７，７Ａ，７Ｂ，７Ｃは、天板２の下側に限らず、天板２の側方や上側に位置してもよい。
【００９２】
支持部７，７Ａ，７Ｂ，７Ｃは、内部空間Ｓ２と排気口５，５Ｂ，５Ｃを備えなくてもよく、カバー４のカバー排気口４０が、空間Ｓ１と外部空間とに繋がる排気口５，５Ｂ，５Ｃを構成してもよい。
【００９３】
熱伝導部材６は、空間Ｓ１にのみ位置し、内部空間Ｓ２には位置しなくてもよく、ただし、この場合、熱伝導部材６において、排熱口３１から排気口５へ向けて熱が伝導するように、排熱口３１からカバー排気口４０までの距離を長くすればよい。
【００９４】
また、熱伝導部材６は、排気口５の外側にわたって位置するように配置してもよい。
【００９５】
熱伝導部材６は、シート状に限らず、その他の形状であってもよい。
【００９６】
カバー４は、合成樹脂、木材などから形成されてもよく、この場合、調理台１，１Ａ，１Ｂ，１Ｃは、断熱部材８を備えなくてもよい。
【００９７】
熱伝導部材６は、カバー４の底板４１の上面の上のみに限らず、排熱口３１の前側にも配置してもよい。
【００９８】
調理台１，１Ａ，１Ｂ，１Ｃは、一対の操作部９を天板２の上面に備えてもよい。
【００９９】
天板２は、上側から視て、長方形状に限らず、例えば、楕円状等のその他の平面視形状を有する長板状（つまり長手方向と短手方向とを有する形状）であってもよい。
【０１００】
電磁加熱調理器３は、コイルを１つまたは２つ備えてもよく、また、コイルを４つ以上備えてもよい。
【０１０１】
第一支持部７０，７０Ｂ，７０Ｃは、熱気を排出するための構造（内部空間Ｓ２と流入口７２，７２Ｂ，７２Ｃと排気口５，５Ｂ，５Ｃ）を備えていればよく、その形状及び配置は、適宜選択可能である。また、第二支持部７１，７１Ａ，７１Ｃも、熱気を排出するための構造を備えてもよい。
【０１０２】
調理台１，１Ａ，１Ｂ，１Ｃは、空間Ｓ１と内部空間Ｓ２の少なくとも一方に配置される送風機を更に備えてもよい。
【０１０３】
また、排気口５，５Ｂ，５Ｃは、第一支持部７０，７０Ｂ，７０Ｃの下端部に限らず、第一支持部７０，７０Ｂ，７０Ｃの上端部等のその他の位置に設けてもよい。
【０１０４】
調理台１，１Ａ，１Ｂ，１Ｃは、前側の操作部９の周囲の隙間４４を塞ぐ部材を更に備えてもよい。またこの塞ぐ部材は、空間Ｓ１内に流入する方向の空気の流れのみを許容し、空間Ｓ１から流出する方向の空気の流れを防ぐように形成された弁部材で構成されてもよい。
【０１０５】
調理台１，１Ａ，１Ｂ，１Ｃは、アイランド型に限らず、長手方向の一端が壁に接したペニンシュラ型であってもよい。
【０１０６】
また、調理台１，１Ａ，１Ｂ，１Ｃは、適宜構成を組み合わせてもよい。
【０１０７】
［まとめ］
以上説明した各実施形態及びその変形例の調理台１，１Ａ，１Ｂ，１Ｃのように、第一態様の調理台１は、下記の構成を備える。なお、以下では、実施形態を区別するために付した符号Ａ、Ｂ、Ｃは省略している。
【０１０８】
すなわち、第一態様の調理台１は、天板２と、天板２に取り付けられ、一部３０が天板２よりも下側に位置し、一部３０に排熱口３１を有する電磁加熱調理器３と、一部３０を下側から覆い、一部３０との間に空間Ｓ１を形成するカバー４と、を備える。第一態様の調理台１は更に、空間Ｓ１と外部空間とに繋がる排気口５と、排熱口３１から排気口５に向けて熱を伝導するように、カバー４の上に重ねられた熱伝導部材６と、を備える。
【０１０９】
上記構成を備えることで、第一態様の調理台１では、排熱口３１から排出された熱気の熱を、熱伝導部材６の一部で吸収して、熱伝導部材６のうち、排気口５側の部分（つまり電磁加熱調理器３から離れた部分）へ熱伝導（移動）することができる。また、第一態様の調理台１では、熱伝導部材６のうち、排気口５側の部分に熱伝導（移動）した熱は、排気口５から排出される空気に伝えて、放熱することができ、熱伝導部材６の排熱口３１から排気口５に向けて熱が伝導しにくくなることを防ぐことができる。したがって、第一態様の調理台１では、電磁加熱調理器３の過熱を抑制することができる。
【０１１０】
また、第二態様の調理台１は、第一態様の調理台１の構成に加えて、下記の構成を付加的に備える。
【０１１１】
すなわち、第二態様の調理台１は、天板２を支える支持部７を更に備える。支持部７は、空間Ｓ１に通じる内部空間Ｓ２と、内部空間Ｓ２と前記外部空間とを繋ぐ排気口５と、を有する。熱伝導部材６は、空間Ｓ１と内部空間Ｓ２にわたって位置する。
【０１１２】
上記構成を備えることで、第二態様の調理台１では、排熱口３１から排出された熱気の熱を、熱伝導部材６の空間Ｓ１に位置する部分６０で吸収し、この熱を、熱伝導部材６の内部空間Ｓ２に位置する部分６１へ熱伝導（移動）することができる。第二態様の調理台１では、内部空間Ｓ２は、空間Ｓ１に比べて温度の低い空間であるため、内部空間Ｓ２を流れる空気と、熱伝導部材６の部分６１との間で熱伝達が生じやすく、熱伝導部材６の部分６１に伝導した熱が放熱しやすい。
【０１１３】
また、第三態様の調理台１は、第一または第二態様の調理台１の構成に加えて、下記の構成を付加的に備える。
【０１１４】
すなわち、第三態様の調理台１では、熱伝導部材６は、シート状である。
【０１１５】
上記構成を備えることで、第三態様の調理台１では、電磁加熱調理器３から熱伝導部材６を極力離して位置させることができ、熱伝導部材６で吸収した熱が空気を介して電磁加熱調理器３に伝わることを抑制することができる。
【０１１６】
また、第四態様の調理台１は、第一〜第三態様のいずれかの調理台１の構成に加えて、下記の構成を付加的に備える。
【０１１７】
すなわち、第四態様の調理台１では、金属製のカバー４と熱伝導部材６との間に位置する断熱部材８を、更に備える。
【０１１８】
上記構成を備えることで、第四態様の調理台１では、熱伝導部材６で吸収した熱が、金属製のカバー４に伝わって、カバー４が高温化することを断熱部材８によって抑制することができる。
【０１１９】
また、第五態様の調理台１は、第一〜第四態様のいずれかの調理台１の構成に加えて、下記の構成を付加的に備える。
【０１２０】
すなわち、第五態様の調理台１は、電磁加熱調理器３の操作に用いられる一対の操作部９を更に備える。一対の操作部９は、天板２の両端部に位置する。一対の操作部９のうち、排熱口３１に近い側の操作部９と排熱口３１との間に、熱伝導部材６が位置する。
【０１２１】
上記構成を備えることで、第五態様の調理台１では、天板２を挟んで向かい合う各ユーザーが電磁加熱調理器３を操作することができ、また、排熱口３１から排出された熱気の熱を熱伝導部材６で吸収して、操作部９に伝わることを抑制することができる。
【０１２２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１２３】
１，１Ａ，１Ｂ，１Ｃ  調理台
２                    天板
３                    電磁加熱調理器
３０                  一部
３１                  排熱口
４                    カバー
５，５Ｂ，５Ｃ        排気口
６                    熱伝導部材
７，７Ｂ，７Ｃ        支持部
８                    断熱部材
９                    操作部
Ｓ１                  空間
Ｓ２                  内部空間
【図１】
2019170961.tif 000003
【図２】
2019170961.tif 000004
【図３】
2019170961.tif 000005
【図４】
2019170961.tif 000006
【図５】
2019170961.tif 000007
【図６】
2019170961.tif 000008